(57)【要約】【課題】ディスクの回転方向前方の待機メダルに次メダルの前端部が乗り上げても、次メダルの後端部がメダル分離用の隙間に喰い込まれることを防止する。【解決手段】メダル捕獲孔１２Ａが形成されているディスク１２と、該ディスクの回転によりメダル捕獲孔に捕獲されたベース面１８上のメダルを排出口に押出す押出部材とを備えた硬貨投出装置において、前記押出部材により前記排出口に押出された待機メダルＭ１の後端より、メダル捕獲孔１２Ａの回転方向後方のベース面１８Ａに出没可能に配設された、該待機メダルに乗り上げた状態で捕獲された次メダルＭ２を、その後端がベース面１８Ａに接しない高さに支持する支持部３３Ａを有する乗上防止手段を備え、該支持部のメダル進行方向の上流側に、ベース面に対して鈍角の傾斜面を形成した。【選択図】図１４
2007265255.tif 000002
【特許請求の範囲】
【請求項１】
メダルを貯留するベース上のホッパと、該ホッパ低部のベース面に回転可能に軸支された、回転軸を中心に円周方向に複数のメダル捕獲孔が形成されているディスクと、該ディスクの回転によりメダル捕獲孔に捕獲されたベース面上のメダルを排出口に押出す、ディスク裏面に設けられた押出部材とを備えた硬貨投出装置において、
前記押出部材により前記排出口に押出された待機メダルの後端より、メダル捕獲孔の回転方向後方のベース面に出没可能に配設された、該待機メダルに乗り上げた状態で捕獲された次メダルを、その後端がベース面に接しない高さに支持する支持部を有する乗上防止手段を備え、
該支持部のメダル進行方向の上流側に、ベース面に対して鈍角の傾斜面が形成されていることを特徴とする硬貨投出装置。
【請求項２】
更に、前記支持部が、前記排出口近傍のベース面に突設されている剛体に乗り上げた状態で捕獲された次メダルを、その後端がベース面に接しない高さに支持可能に、回転方向の所定範囲に形成されていることを特徴とする請求項１に記載の硬貨投出装置。
【発明の詳細な説明】
【技術分野】
【０００１】
本発明は、硬貨投出装置、特にディスク内に捕獲されたメダルを下流側にスムーズに送り出す際に適用して好適な、硬貨投出装置に関する。
【背景技術】
【０００２】
一般に、スロットマシン等のゲーム機、両替機、自動販売機等では、メダル（硬貨）を所定位置に自動的に投出す（払い出す）ために硬貨投出装置が用いられている。
【０００３】
この硬貨投出装置としては、多数のメダルが貯留されているホッパの低部に配設された、メダル捕獲用のディスクをモータ等の回転駆動手段により回転させ、該ディスクの円周方向に沿って形成されている複数の捕獲孔によりメダルを捕獲し収容すると共に、捕獲されたメダルをホッパ底部のベース面に接しているものから、ディスク裏面の隙間を利用して一枚ずつ分離して順に払い出し方向に送り出すものが知られている。
【０００４】
例えば、特許文献１には、図１９にホッパを取り外した状態の要部を示すように、ディスク１１２に形成されている捕獲孔１１２Ａに捕獲されたメダルＭを、該ディスク１１２を時計回りに回転させることにより、第１排出口１２０を経て第１レール１２６に送り出すと共に、反時計回りの回転により、第２排出口を経て第２レール１２８に送り出す硬貨投出装置１００が開示されている。
【０００５】
便宜上、ここでは反時計回りの場合を説明するが、時計回りの場合の原理も実質的に同一である。
【０００６】
捕獲孔１１２Ａに捕獲されたメダルＭは、ディスク１１２の回転に従って、その裏面に付設されているひれ（押出部材、図示せず）に押されて、２本のピン１１８Ａ、１１８Ｂからなる固定ガイドと、ばね１４８により図中左方向に付勢されているレバー１４０に支持され、該ガイドの方向に付勢されているベアリング１４４とに当接する位置に移動され、該ベアリング１４４をばね１４８の付勢力に抗して押し広げて通過した後、第２レール１２８の方向に送り出される。
【０００７】
この硬貨投出装置では、ディスク１１２の回転に伴って強制的にメダルを押出す作用が及ばなくなっても、固定ガイド方向に付勢されているベアリング１４４により、ホッパ内（ディスク方向）にメダルＭが押し戻されないようにしている。
【０００８】
具体的には、ディスク１１２のひれが到達可能な最先位置まで送り出されたメダルを、次のメダルが送り出されてくるまでその位置に維持しておくために、前記のようにディスク１１２の外側に配置された２つの押出しピン（固定ガイド）１１８Ａ、１１８Ｂとベアリング１４４との間にメダルの幅より狭い通路を形成している。
【０００９】
そして、メダルがこのベアリング１４４を押し広げながら前進してその頂点を越えたときに、閉じる方向に付勢されているベアリング１４４により前方に押出され、該ベアリング１４４と前方に位置する方の押出しピン１１８Ａとに当接した図示しない位置に該メダルが停止され、その位置で待機する。即ち、ベアリング１４４は、レール１２８に送り出したメダルの逆流防止手段として機能している。
【００１０】
【特許文献１】特開２００２−２２２４４６号公報
【発明の開示】
【発明が解決しようとする課題】
【００１１】
しかしながら、回転するディスク１１２の捕獲孔１１２Ａに、その回転方向前端部に待機しているメダルの一部が入り込んだ状態に、次メダルが捕獲されたために、該メダルが待機メダルの後端部に乗り上げ、次メダルの後端がベース面に接触した状態になることがある。このように後端側を下に傾斜した状態で捕獲された次メダルの後端部に、ディスク１１２が回転して捕獲孔１１２Ａのディスク裏面とベース面との間に形成されているメダル分離用の前記隙間が接近してくると、該隙間はメダルの厚さに若干の余裕を持った間隔で形成されているため、ベース面に接触している次メダルの後端部がこの隙間に楔状態に食い込まれてしまい、メダルの分離及び排出ができなくなり、更にはその位置で停止してロック状態になってしまうことが起るという問題があった。
【００１２】
本発明は、前記従来の問題点を解決するべくなされたもので、ディスクの回転方向前方側に位置する待機メダルに次メダルの前端部が乗り上げたときでも、次メダルの後端部がメダル分離用の隙間に食い込まれてメダルがくさび状態に食い込まれることを確実に防止することができ、結果としてスムーズなメダルの払い出しを実現することができる硬貨投出装置を提供することを課題とする。
【課題を解決するための手段】
【００１３】
本発明は、メダルを貯留するベース上のホッパと、該ホッパ低部のベース面に回転可能に軸支された、回転軸を中心に円周方向に複数のメダル捕獲孔が形成されているディスクと、該ディスクの回転によりメダル捕獲孔に捕獲されたベース面上のメダルを排出口に押出す、ディスク裏面に設けられた押出部材とを備えた硬貨投出装置において、前記押出部材により前記排出口に押出された待機メダルの後端より、メダル捕獲孔の回転方向後方のベース面に出没可能に配設された、該待機メダルに乗り上げた状態で捕獲された次メダルを、その後端がベース面に接しない高さに支持する支持部を有する乗上防止手段を備え、該支持部のメダル進行方向の上流側に、ベース面に対して鈍角の傾斜面が形成されているようにしたことにより、前記課題を解決したものである。
【００１４】
本発明においては、更に、前記支持部が、前記排出口近傍のベース面に突設されている剛体に乗り上げた状態で捕獲された次メダルを、その後端がベース面に接しない高さに支持可能に、回転方向の所定範囲に形成されているようにしてもよい。
【発明の効果】
【００１５】
本発明によれば、待機メダルの後端部等に次メダルの前端部が乗り上げた状態でメダル捕獲孔に捕獲されたとしても、乗上防止手段により次メダルの後端を、ベース面より浮き上がらせるようにしたので、該メダルの後端部がディスク裏面とベース面との間の隙間に楔状に食い込まれることを確実に防止することができ、結果としてメダルの円滑な払い出しを実現することができる。
【００１６】
又、更に、前記支持部が、前記排出口近傍のベース面に突設されている剛体に乗り上げた状態で捕獲された次メダルを、その後端がベース面に接しない高さに支持可能に、回転方向の所定範囲に形成されているようにする場合には、レール方向にメダルを案内するための押出しピン等のガイドに次メダルが乗り上げた場合にも、同様に次メダルが隙間に食い込まれることを防止できる。
【発明を実施するための最良の形態】
【００１７】
以下、図面を参照して、本発明の実施の形態について詳細に説明する。
【００１８】
図１は、本発明に係る一実施形態の硬貨投出装置の外観を示す斜視図、図２は図１からホッパを取り除いた状態の一部を拡大して示す斜視図である。
【００１９】
本実施形態の硬貨投出装置は、メダルを貯留するホッパ１０と、該ホッパ１０の低部の後述するベース面に回転可能に支持されたディスク１２とを備え、該ディスク１２の回転に伴って、図示しない回転軸を中心に円周方向に形成された３つの捕獲孔１２Ａに捕獲されたメダルを、ホッパ１０を支持するベース１４の上面（ベース面）に沿って移動させ、後述する排出口に押出した後、その下流側に配設されているレール１６を通して、図示しない払い出し位置へ送り出すことができるようになっている。
【００２０】
図３には、図２に示したホッパ低部を構成するベース１４を、その下の駆動手段（図示せず）を収納するフレーム部からディスク１２等と共に分離したものに相当するベース組立体を示す。
【００２１】
このベース組立体は、図４に前方から見た場合、図５に後方から見た場合の各分解斜視図を示すように、ベース１４が板状のベース本体１８と、該ベース本体１８の表側のベース面１８Ａに密着固定される板状のガイド２０とを有し、該ガイド２０の円形に近いガイド孔に前記ディスク１２が位置決めされ、ベース本体１８の裏側に固定されるモータ（図示せず）により回転可能になっている。
【００２２】
上記ガイド２０は、払い出し方向にメダルを案内するレール１６の後端部を構成するセンタガイド２２及び排出プレート２４と、メダルの排出方向を右側に規制するためのシングルガイド２６とを有している。
【００２３】
又、前記ディスク１２は、図５に示すように捕獲孔１２Ａが貫通形成されているメインディスク２８と、その裏面にねじで固定された、側面が捕獲孔１２Ａの周囲に略一致する形状のサブディスク３０とからなる。このサブディスク（押出部材）３０は、捕獲孔１２Ａに捕獲された最下位に位置するベース面１８Ａに接触しているメダルを、該ディスク１２の回転に伴ってレール方向に移動させ、後述する排出口に押出すいわゆるひれの働きをする。図６には、このサブディスク３０とベース面１８Ａ上の１枚のメダルとの関係が理解され易くするために、図３からメインディスク２８を除いた状態を示す。
【００２４】
又、後に詳述するメダルの逆流を防止する逆流防止手段としての板ばねからなる逆流防止ばね３２が、ベース本体１８の裏側のベース裏面１８Ｂに固定ねじ３４で固定され、逆流防止のためにメダルを保持する保持部３２Ａが表側のベース面１８Ａから突出すると共に、出没可能になっている。
【００２５】
更に、図７に示すようにメインディスク２８の裏面とベース面１８との隙間に対する楔状のメダル食い込みを防止する板ばねからなる乗上防止ばね３３が、同じくベース裏面１８Ｂに同一の固定ねじ３４により固定され、回転方向前方の待機メダル等への次メダルの乗上げを防止する支持部３３Ａが同様にベース面１８Ａから突出すると共に、出没可能なっている。但し、図６には乗上防止ばねの支持部３３Ａは省略してある。
【００２６】
本実施形態においては、メインディスク２８を除いてサブディスク３０を露出させた前記図６に示したように、ベース面１８Ａに固定されているシングルガイド２６に連設されたセンタガイド２２及び排出プレート２４と、これらにベース面１８Ａと対向する側から固定されるカバー（図示せず）とにより、前記レール１６に連通するメダル通路が形成されている。
【００２７】
そして、センタガイド２２と排出プレート２４の後端部の近傍が実質的なホッパ１０のメダル排出口３６になっており、サブディスク３０によりホッパ低部からメダルＭが該排出口３６に押出された後、前記レール１６に送り出されていく。
【００２８】
この図６に示した１個のメダルＭは、反時計回りに回転するサブディスク３０により徐々に回転方向に移動され、最終的に前記排出口３６に押出されると、次のメダルが同様にサブディスク３０により押出されてくるまでその位置で待機させる必要があるため、押出されたメダルＭは逆流しないように保持される。
【００２９】
本実施形態では、排出口３６に押出されたメダルＭを保持し、待機させるために前記逆流防止ばね３２が採用されている。
【００３０】
この逆流防止ばね３２は、図７に前記図６のＡ−Ａ断面に相当する断面の一部を拡大して示すように、ベース裏面１８Ｂに上流側端部が前記固定ねじ３４により固定されている。又、この逆流防止ばね３２の下流側にはディスク１２方向に板ばねを鋭角に折曲したメダル保持部３２Ａが形成され、該保持部３２Ａの先端は、前記排出口３６の近傍のベース本体１８に形成された第１貫通孔３８を介して、ベース面１８Ａより上方に突出するように、固定ねじ３４による固定位置を支点にしてディスク１２の方向に付勢されていると共に、その先端部がベース裏面１８Ｂに当接して同図の状態に維持されるようになっている。
【００３１】
又、このメダル保持部３２Ａを構成する板ばねの上流側傾斜面３２Ｂは、ベース面１８Ａに対して鈍角αに形成され、逆に下流側傾斜面３２Ｃは鋭角βに形成されている。
【００３２】
本実施形態においては、更に上記図７に示されるように、同一の固定ねじ３４により逆流防止ばね３２に重ねて前記乗上防止ばね３３がベース裏面１８Ｂに固定され、その支持部３３Ａが、上記第１貫通孔３８より上流側の回転方向に沿って形成されている第２貫通孔３９を介して、後述する待機メダルの後端からメダル直径範囲内に、ベース面１８Ａより上方に突出するように配設されている。
【００３３】
この乗上防止ばね３３の支持部３３Ａは、ディスク１２のメダル捕獲孔１２Ａの回転円周上において、後に詳述する待機メダルやガイド等の捕獲孔の回転方向前方（下流側）に位置する剛体に、次メダルの前端側が乗り上げた時に、その反対側の後端がベース面１８Ａに接触できないように、ばね弾性により該次メダルを上方に支持する働きをする。
【００３４】
この乗上防止ばね３３の支持部３３Ａは、その上流側傾斜面３３Ｂがベース面１８Ａに対して鈍角γに形成されており、捕獲孔１２Ａ内に普通に捕獲されたメダル、即ち、待機メダル等に乗り上げていないメダルがサブディスク３０により押出されてきたときには、ディスク１２の裏面により上方への動きが規制されているメダルの移動により、ベース面１８Ａとほぼ同一高さまで容易に押し下げられるため、該メダルは確実に下流側へ送り出される。
【００３５】
又、この支持部３３Ａは、前記排出口３６の近傍に突設されているセンタガイド（剛体）２２に次メダルの先端部が乗り上げた状態でメダル捕獲孔１２Ａに捕獲された場合にも、その後端がベース面１８Ａに接触しないように支持できるように回転方向の所定範囲（長さ）に亘って形成されている。
【００３６】
更に、この支持部３３Ａの下流側傾斜面３３Ｃもベース面１８Ａに対して鈍角δに形成されている。従って、図示は省略するが、ガイド２０を変更し、レール１６を左右両側に取付けると共に、ディスク１２を時計回りに回転させることにより、左側のレールからもメダルを払い出すようにする際にも、そのまま対応できるようになっている。
【００３７】
なお、上記逆流防止ばね３２の保持部３２Ａがベース面１８Ａに出没する第１貫通孔３８や、同じく乗上防止ばね３３の支持部３３Ａが出没する第２貫通孔３９は、使用するメダルの大きさに合わせて調整できるようにそれぞれ長孔で形成されている。
【００３８】
次に、本実施形態の作用を説明する。
【００３９】
初めに、理解し易くするために、乗上防止ばねが無い場合のメダルの食い込みについて説明する。
【００４０】
前記図３に示したベース組立体の平面図に相当する図８に、待機メダルＭ１が保持部３２Ａに保持され、その後端側の一部がディスク１２の捕獲孔１２Ａ内に入り込んでいるディスクの回転状態を示す。
【００４１】
この図８に示したディスクの回転状態のときに、待機メダルＭ１の一部が見えている捕獲孔１２Ａに、次メダルＭ２が捕獲され、図９に示すように待機メダルＭ１の後端部に次メダルＭ２の前端部が乗り上げた状態になったとすると、メダル進行方向に沿って図９を切断した図に相当する図１０に示すように、次メダルＭ２の回転方向後端はベース面１８Ａに接触することになる。
【００４２】
この状態からディスク１２が反時計回りに回転を始めると、図１１に示すように捕獲された次メダルＭ２のベース面１８Ａに接触している上流側の、サブディスク３０の厚さに応じて形成されているベース面１８Ａとメインディスク２８の裏面との間の隙間１２Ｂに、次メダルＭ２の後端部が入り込むことになる。
【００４３】
その結果、メインディスク２８の裏面から次メダルＭ２に対してベース面１８Ａの方向に押し下げて水平にする力がかかることになるが、その先端部が待機メダルＭ１に乗り上げているため、該次メダル（捕獲メダル）Ｍ２は水平になることができず、傾斜した状態のままで回転させられることになる。
【００４４】
そのままの状態で回転させられると、図１２に示すようにメダル進行方向の捕獲孔１２Ａ内にセンタガイド２２が現われる。このセンタガイド２２は、通常待機メダルＭ１の上にある次メダルＭ２に対しては、それを上方に分離する働きをするので、次メダルＭ２はベース面１８Ａから離れる方向に押し上げられることになる。ところが、前記の如く、次メダルＭ２はメインディスク２８とサブディスク３０との差に対応して形成されている隙間１２Ｂに他端の回転方向後端部が挟まれているため、ベース面に対してある角度以上には上方に押し上げることができなくなり、図１３に示すようにディスクの回転が不可能なロック状態になってしまう。
【００４５】
これに対して、本実施形態においては、前記図９と同様に次メダルＭ２が待機メダルＭ１に乗り上げた状態になったとしても、図１４に示すように、捕獲孔１２Ａ内の次メダルＭ２は回転方向後端部が支持部３３Ａに乗り上がるため、ベース面１８Ａより上方に支持されることになり、隙間１２Ｂに入り込むことが有効に防止される。
【００４６】
この状態でディスク１２が反時計方向に回転していくと、次メダルＭ２は、捕獲孔１２Ａの後端壁に押され、ディスク１２の回転方向に移動していく。そして、前記図１２と同様にセンタガイド２２が捕獲孔１２Ａ内に入り込んでくると、該センタガイド２２に次メダルＭ２の先端が接触することになる。このセンタガイド２２のメダルが接触する部分は斜面に面取りしてあるため、図１５に示すように次メダルＭ２はベース面１８Ａから離れる方向に移動される。
【００４７】
このように、本実施形態によれば、待機メダルＭ１に乗り上げた次メダルＭ２の後端部は、ディスク１２の隙間１２Ｂに食い込まれていないため、センタガイド２２の斜面に沿って上方に移動が可能であることから、乗上防止ばね３３が無い前記図１３に示した場合のように、次メダルＭ２の後端部が楔状態に隙間１２Ｂに食い込まれることが防止される。
【００４８】
又、この乗上防止ばね３３も、ディスク１２の捕獲孔１２Ａの回転円周上に配置されているため、図１６に示すように該乗上防止ばね３３上にメダルＭの前端部が乗り上げると、待機メダルＭ１へ乗り上げた場合と同じ状況が生じることになる。しかしながら、この乗上防止ばね３３は、ベース面１８Ａに対して出没可能に形成されているため、該ベース面１８Ａとほぼ同一高さまで下降可能になっている。
【００４９】
従って、上記図１６のようにメダルＭが捕獲された後に回転が開始されたために、図１７に示すように該メダルＭの後端部が隙間１２Ｂに楔状に食い込まれ、ディスク１２の裏面により該メダルが押し下げられたとすると、乗上防止ばね３３が下動することから、図１８に示すようにメダルがほぼべース面１８Ａと一致する水平状態にできるため、メダル詰まりの発生を確実に防止することができる。
【００５０】
以上詳述したように、本実施形態によれば、待機メダルや押出ピン等のガイドがディスクの捕獲孔の回転円周上に存在していても、これにメダル前端部が乗り上げることにより該メダルの後端部が隙間に喰い込むことによるメダル詰まりの発生を防止することができるため、メダルのスムーズな排出を実現することが可能となる。
【００５１】
又、支持部３３Ａの上流側傾斜面３３Ｂをベース面１８Ａに対して鈍角にしたので、メダル捕獲孔に正常に捕獲されたメダルを円滑に送り出すことができる。
【００５２】
又、本実施形態においては、前記逆流防止ばね３２は、無負荷時にベース面１８Ａから突出している保持部３２Ａの上流側傾斜面３２Ｂが、ベース面１８Ａに対して鈍角になっているため、該保持部３２Ａは上流側から押出されるメダルＭにより押下げ易いようになっている。逆に、下流傾斜面３２Ｃはベース面１８Ａに対して鋭角になっているため、下流側からは保持部３２Ａを下げる力が発生し難くなっている。
【００５３】
従って、メダルＭが下流側から押し戻されてきても、逆流防止ばね３２の保持部３２Ａはベース面１８Ａより下に引き込まれることが有効に防止されている。しかも、逆流防止ばね３２を固定ねじ３４で固定した支点を、保持部３２Ａに対して上流側に設定してあるため、前記図７に併せて示したように、図中右側の下流側から大きな逆流荷重が保持部３２Ａの下流側傾斜面３２Ｃに加わったとしても、矢印で示す回転方向の上向の力に変換されるため、保持部３２Ａはベース面１８Ａより上方に付勢されることになる。その結果、保持部３２Ａはベース面１８Ａより下に下がってしまうことが防止されるため、確実にメダルの逆流を防止することができる。
【００５４】
なお、本実施形態に適用可能な乗上防止手段としては、支持部３３Ａと実質的に同一の機能を有する弾性部材であれば、前記板ばねからなる乗上防止ばねに限定されない。
【００５５】
又、前記実施形態では、支持部３３Ａの上流側と下流側の傾斜面３３Ｂ、３３Ｃが共にベース面に対して鈍角である場合を示したが、円錐や円錐台等の周囲全方向に鈍角になるようにしてもよい。
【００５６】
又、逆流防止手段としては、前記逆流防止ばね３２に限らず、前記図１９に示したベアリング等の他の手段であってもよい。
【図面の簡単な説明】
【００５７】
【図１】本発明に係る一実施形態の硬貨投出装置を示す斜視図
【図２】図１からホッパを除いた硬貨投出装置を拡大して示す部分斜視図
【図３】図２に示すベースより上のベース組立体を示す斜視図
【図４】正面側から見た上記ベース組立体の分解斜視図
【図５】背面側から見た上記ベース組立体の分解斜視図
【図６】図３からメインディスクを除いた状態を示す斜視図
【図７】無負荷時の逆流防止ばね及び乗上防止ばねとベース面との関係を示す拡大部分断面図
【図８】待機メダルとディスクの捕獲孔の関係を示す平面図
【図９】図８の捕獲孔に次メダルが捕獲された状態を示す平面図
【図１０】乗上防止ばねが無い場合の図９をメダル進行方向に破断して待機メダルと次メダルの関係を示す部分斜視図
【図１１】図１０の待機メダルの後端部が隙間に入り込む様子を示す部分斜視図
【図１２】図９の状態からディスクが回転し、待機メダルがロック状態になった状態を示す平面図
【図１３】図１２を破断した状態を示す部分斜視図
【図１４】乗上防止ばねがある場合の前記図１０に相当する部分斜視図
【図１５】待機メダルの隙間への喰い込みが防止された様子を示す部分斜視図
【図１６】乗上防止ばねにメダル前端部が乗り上げた様子を示す部分斜視図
【図１７】図１６の状態からディスクが回転し、乗上防止ばねを押し下げる様子を示す部分斜視図
【図１８】乗上防止ばねがメダルに完全に押し下げられた様子を示す部分斜視図
【図１９】従来の硬貨投出装置の要部を示す部分正面図
【符号の説明】
【００５８】
１０…ホッパ
１２…ディスク
１４…ベース
１６…レール
１８…ベース本体
１８Ａ…ベース面
１８Ｂ…ベース裏面
２０…ガイド
２２…センタガイド
２４…排出プレート
２６…シングルガイド
２８…メインディスク
３０…サブディスク
３２…逆流防止ばね
３２Ａ…メダル保持部
３３…乗上防止ばね
３３Ａ…メダル支持部
３４…固定ねじ
３６…排出口
３８…第1貫通孔
３９…第２貫通孔
【図１】
2007265255.tif 000003
【図２】
2007265255.tif 000004
【図３】
2007265255.tif 000005
【図４】
2007265255.tif 000006
【図５】
2007265255.tif 000007
【図６】
2007265255.tif 000008
【図７】
2007265255.tif 000009
【図８】
2007265255.tif 000010
【図９】
2007265255.tif 000011
【図１０】
2007265255.tif 000012
【図１１】
2007265255.tif 000013
【図１２】
2007265255.tif 000014
【図１３】
2007265255.tif 000015
【図１４】
2007265255.tif 000016
【図１５】
2007265255.tif 000017
【図１６】
2007265255.tif 000018
【図１７】
2007265255.tif 000019
【図１８】
2007265255.tif 000020
【図１９】
2007265255.tif 000021